(57)【要約】【課題】点滅駆動時の輝度変動を抑えて良好な表示を行う自発光素子を用いた表示装置の駆動方法を提供する。【解決手段】周期的な点滅駆動を行う表示装置に関し、点滅周期を垂直ブランキング期間のほぼ１／ｎ倍、かつ、フィールド期間のほぼ１／ｍ倍（ｎ、ｍは１以上の自然数）に合わせることで点滅駆動の位置と時間における周期的な連続性を維持し、表示領域の発光面積変動を抑え、表示領域へ流れる総電流量の変動を抑えることができるので、電源インピーダンスの大きさによらず、電源インピーダンスが存在することによる電源変動を抑えることができ、電源変動により引き起こされる輝度変化に伴う画質の低下を抑制する。【選択図】図４
2009063654.tif 000002
【特許請求の範囲】
【請求項１】
走査線ごとに時間をずらせた周期で発光素子を点滅させる表示装置の駆動方法であって、
前記発光素子の点滅周期を垂直ブランキング期間の１／Ｍ（Ｍは自然数）とすることを特徴とする駆動方法。
【請求項２】
請求項１に記載の駆動方法であって、
フィールド期間が垂直ブランキング期間の整数倍であり、
かつ、前記発光素子の点滅周期を１フィールド期間の１／Ｎ（Ｎは自然数）とすることを特徴とする駆動方法。
【請求項３】
走査線ごとに時間をずらせた周期で発光素子を点滅させる表示装置の駆動方法であって、
１行の走査期間を単位として、
フィールド期間が垂直ブランキング期間の整数倍でなく、
フィールド期間中に、前記発光素子の点滅周期として、
フィールド期間を垂直ブランキング期間で除算することにより得た商を四捨五入することにより得た整数でフィールド期間を除算することにより得た周期を切り上げ又は切り捨てすることにより整数化した第１の点滅周期と、
フィールド期間を前記第１の点滅周期で除算することにより得た剰余を前記第１の点滅周期から差し引くことにより得た周期以上であり、かつ、前記第１の点滅周期未満である第２の点滅周期とを混在させることを特徴とする駆動方法。
【請求項４】
請求項１乃至３の何れか１項に記載の駆動方法であって、
前記発光素子の点滅周期に対する発光期間のデューティ比を５０％とすることを特徴とする駆動方法。
【請求項５】
走査線ごとに時間をずらせた周期で発光素子が点滅する表示装置であって、
前記発光素子の点滅周期が垂直ブランキング期間の１／Ｍ（Ｍは自然数）であることを特徴とする表示装置。
【請求項６】
請求項５に記載の表示装置であって、
フィールド期間が垂直ブランキング期間の整数倍であり、
かつ、前記発光素子の点滅周期が１フィールド期間の１／Ｎ（Ｎは自然数）であることを特徴とする表示装置。
【請求項７】
走査線ごとに時間をずらせた周期で発光素子が点滅する表示装置であって、
１行の走査期間を単位として、
フィールド期間が垂直ブランキング期間の整数倍でなく、
フィールド期間中に、前記発光素子の点滅周期として、
フィールド期間を垂直ブランキング期間で除算することにより得た商を四捨五入することにより得た整数でフィールド期間を除算することにより得た周期を切り上げ又は切り捨てすることにより整数化した第１の点滅周期と、
フィールド期間を前記第１の点滅周期で除算することにより得た剰余を前記第１の点滅周期から差し引くことにより得た周期以上であり、かつ、前記第１の点滅周期未満である第２の点滅周期とが混在することを特徴とする表示装置。
【発明の詳細な説明】
【技術分野】
【０００１】
本発明は、自発光型素子をマトリクス状に配置した表示装置およびその駆動方法に関する。特に、本発明は、点滅駆動するＥＬ（エレクトロ・ルミネッセンス）素子等の自発光型素子と、発光期間を任意に制御する電気回路とを用いて表示を行うアクティブマトリクス型表示装置およびこれらの駆動方法に関する。
【背景技術】
【０００２】
近年、自発光型の高輝度ディスプレイとして、有機ＥＬを用いた薄型表示装置が、注目を集めている。自発光である為に、液晶表示装置とは異なり、バックライトが不要である。また、表示パネル全体を１〜２ｍｍ程度にまで薄型化できるので小型・軽量化が図れる。更に、視野角の制限も無く、応答速度が速く、高輝度、高コントラスト、低消費電力といった長所がある。従って、次世代ディスプレイの有力な候補とされている。有機ＥＬディスプレイは現在、ディジタルカメラや携帯電話などモバイル機器（携帯用情報機器）用小型ディスプレイへの応用が進んでいると共に、今後は、ＰＣ（パーソナルコンピュータ）向けモニタやテレビなど中大型ディスプレイへの応用が考えられている。モバイル機器は屋内、野外を問わず簡単に持ち運びが出来る。従って、部屋の中などの暗い場所から野外の太陽下などの明るい場所まで様々な使用環境において最適な表示画像を実現する必要がある。また、ＰＣモニタやテレビに関しても使用者によって様々な環境下で使用される為、最適な表示画像を実現する必要がある。
【０００３】
ＣＲＴや液晶、有機ＥＬなどの表示装置は、表示する映像フレームを１秒間に数十回書き換えるリフレッシュ操作が行われており、このフレームの書き換え周波数をリフレッシュ・レートという。このリフレッシュ・レートが低い場合にフリッカ（ちらつき）が発生する。従って、通常これらの表示装置のリフレッシュ・レートはフリッカが発生しない周波数（６０Ｈｚ）で書き換えを行っている。ところで、液晶表示装置は、１フレーム毎に画素電極に印加する電圧の極性を基準電圧に対して反転させたり、水平画素ライン毎に極性を反転させたり、表示画素毎に極性を反転させたりする駆動方法によってフリッカを抑制している。
【０００４】
一方、有機ＥＬ表示装置は、画素毎に自発光型の表示素子を用い、各発光素子に電流を流すことによって発光し画像を表示する。１フレームに占める発光時間や発光強度に応じて表示画面の明るさを設定することができる。従って、表示する画像のリフレッシュ・レートを６０Ｈｚで表示させていたとしても、その発光の周波数や１フレームにおける発光時間と非発光時間の比率（デューティ比）によって表示画面のフリッカ（ちらつき）が発生し、表示品質が劣化してしまう。
【０００５】
また、表示する映像のリフレッシュ・レートを高速化することでフリッカは発生しなくなる。しかし、駆動回路の動作スピードを高速にしなければならず、消費電力が増加し、それにともなう使用部材（電子部品など）や駆動回路の大幅な変更が必要である。
【０００６】
そのため、発光時間のデューティ比によって表示画面の明るさを制御するデューティ駆動方式でありながら、リフレッシュ・レートを高速化させずに、フリッカを抑える駆動方法が、特許文献１に開示されている。特許文献１では、発光制御により１フレームを複数のサブフレームに分割し、各サブフレームで該デューティ比に応じた発光期間だけ発光させることで、フリッカを抑える駆動方法が提案されている。
【特許文献１】特開２００６−３０５１６号公報
【発明の開示】
【発明が解決しようとする課題】
【０００７】
しかしながら、特許文献１に記載の表示装置の駆動方法によって、あるデュ−ティ比で点滅駆動させると、表示領域に流れる総電流量が時間により変動し、この電流変動は有限の値を持つ電源インピーダンスに作用し電源変動をもたらす。１フレーム（又は1フィールド）を複数のサブフレーム（又はサブフィールド）に分割し、発光期間を分割すると、この電源変動と発光期間が同期し、表示領域に輝度変動が発生する。その結果、画質の低下を招いてしまう。
【０００８】
本発明における説明において、１フィールド期間とは１つの画像を表示するのに必要なデータを画素に入力してから、次の画像データが入力されるまでの期間とする。また、１フィールド期間の中で行走査期間終了後から１フィールド期間終了までの期間を垂直ブランキング期間とする。
【０００９】
図９はデューティ駆動時の表示領域に流れる総電流量の変動を説明したものである。ＴＳ信号は表示領域の先頭行の発光制御信号であり、Ｈｉならば発光、Ｌｏｗならば非発光である。表示領域は画素がｍ行×ｎ列の２次元状に配列されている。ここでｍ、ｎは自然数とする。画素にデータが線順次書き込みを行い、書き込む行を選択する信号がm行走査され、ＴＳ信号も各行を順次走査していく。ＴＳ信号が行方向に走査されるので、図９の発光パターンは表示領域内の等間隔の位置にある複数の行における点滅タイミングを表している。図９（ｃ）は表示領域先頭行の発光パターンで、ＴＳ信号と一致した発光を示す。（ｄ）−（ｇ）は、それより一定間隔隔てた各行の発光パターンを示す。各行はその間隔の走査時間だけ発光開始が遅れていく。図９最下段の破線で示す（ｊ）は、垂直ブランキング期間中の仮想的な走査線の点滅信号を表すもので、このタイミングで実際に走査され発光する行は存在しない。
【００１０】
ΣＩは、各タイミングにおける各行で発光している発光素子に流れる電流の和、つまり表示領域に流れる総電流量（ΣＩとする）を表している。図９（ｂ）に示すようにΣＩは時間により変動する。以下ΣＩの変動について詳しく説明する。
【００１１】
図１２は発光領域が表示領域の上から下へ移動していくときの点滅の時間変化と、ΣＩの時間変化、および輝度分布を示す。図９では１フィールド期間内の発光が１回であるが、図１２では１フィールド期間内に４回の発光がある場合を示した。
【００１２】
１０１のパターンは横方向が行走査方向（表示領域の縦方向）の位置を、縦方向が時間を表している。白色部は発光を意味し、黒色部は非発光を意味する。図９のＴＳ信号は１０１の左端の白黒パターンに該当する。
【００１３】
発光パターン１０１の右に総電流ΣＩの時間変化１０２を示してある。縦軸は時間で、表示領域の発光パターン１０１における時間と一致している。ΣＩは大きな値になる期間１０５と小さな値をとる期間１０６とを交互に繰り返す。１０３は垂直ブランキング期間である。
【００１４】
表示領域先頭行（１０１の左端）が点灯から消灯に転じた後しばらくは、表示領域内の縦方向（１０１の横軸）に沿って点灯行の数と消灯行の数が一定であり、ΣＩも一定の値をとる。この期間１０５中は、表示領域の上から下へ点灯行の帯が４つ移動している。点灯行数は消灯行数よりも多く、その差は垂直ブランキング期間中の仮想走査本数に等しい。
【００１５】
その後、表示領域の先頭行が消灯のまま、最終行が消灯から点灯に転じると、それ以後は点灯行の数が減り消灯行の数が増えていく。このためΣＩは減少する。点灯行の減少と消灯行の増加は時間とともに一定の割合での変化であるから、ΣＩは時間に対して線形の変化を示す。
【００１６】
先頭行が点灯期間に入ると、点灯行と消灯行の数は再び一定になる。この期間１０６は、表示領域の上から下へ消灯行の帯が４つ移動する期間なので、１０５の期間に比べて点灯行の数が少なく消灯行の数が多い。（その差はやはり垂直ブランキング期間中の仮想走査本数に等しい。）したがってΣＩの値は１０５の期間より小さい。
【００１７】
その後、表示領域の先頭行が点灯を維持する一方、最終行が消灯に転じると、それ以後は点灯行の数が増え消灯行の数が減っていく。このためΣＩは増加する。
【００１８】
以上がΣＩの時間変動の１サイクルである。このように、垂直ブランキング期間が存在すると、表示領域内の点灯行と消灯行の差が変化する。これがΣＩの変動の原因である。
【００１９】
電源には装置固有の電源インピーダンスが存在するため、ΣＩが変動すると、電源インピーダンスとΣＩの積に応じて、電源が降下し電源電圧変動となる。
【００２０】
電源電圧が降下すると、輝度の変化を引き起こす。その原因の１つは、有機ＥＬ素子の電流−電圧特性である。図１０は代表的な有機ＥＬ素子の電圧−電流特性である。有機ＥＬ等の発光素子への印加電圧が減少すると、電流も減少し、輝度の低下を引き起こす。
【００２１】
輝度変化のもう1つの原因はＴＦＴの電圧−電流特性である。図１１はＴＦＴ（Thin Film Transistor）のソース−ドレイン間電圧（Ｖｄｓ）−ドレイン電流（Ｉｄｓ）特性であるが、発光素子の駆動にＴＦＴの飽和領域を用いていた場合、アーリー特性により電圧降下が電流減少を引き起こす。その結果、自発光素子への流入電流が減少し輝度低下を引き起こす。
【００２２】
画素回路の構成によっては、電源が降下すると、自発光素子への流入電流が増加して輝度上昇を引き起こす場合もあるが、以下では電源降下に伴い輝度が減少する回路構成の場合を考える。
【００２３】
図１２の発光パターン１０１の下側にその時の輝度変化が表示装置上でどのように見えるかを示してある。
【００２４】
１０５の期間は総電流量が多く、電源電圧が降下しているため、この期間に発光している位置の輝度は低下している。また、１０６の期間は総電流量が少なく、電源電圧が降下していないため、この期間に発光している位置の輝度は他の位置に比べて明るい。これら輝度の変動を１フィールド期間積分したのが１０４である。
【００２５】
積分輝度１０４に示されるように、特定の位置で輝度が大きくなり、その間の位置で輝度が小さくなる。輝度が小さくなるところは、ΣIが大きな値をとる期間と発光期間とが一致しているところである。また、輝度が極大になるところは、ΣIが小さい値をとる期間と発光期間とが一致しているところである。それらのあいだに大きな輝度差が出来てしまう。
【００２６】
このように、発光パターンによるΣＩの時間変動と発光パターンの移動が同期しているために、行に平行な特定の位置で輝度が低下し、表示画面上に明暗の模様となって見える。この模様は固定された位置に見える。このような輝度の不均一性は画質低下を引き起こす。
【００２７】
この輝度変化の大きさは、電源インピーダンスの大きさ、画素回路の電圧降下に対する感度、ＴＦＴの特性の影響、自発光素子の効率など複数の要因が積算されて決まる。
【００２８】
そこで、本発明では、周期的な点滅駆動を行う表示装置に関し、電源変動により引き起こされる画質の低下を抑制した良好な表示を行う表示装置の駆動方法を提供することを目的とする。
【課題を解決するための手段】
【００２９】
本明細書において、垂直走査期間、ブランキング期間、点灯期間、消灯期間、点滅周期など、行単位で制御される時間は全て１行の走査期間（１Ｈという）を単位として表されているものとする。したがってそれらは全て整数である。
【００３０】
また、「周期が垂直ブランキング期間のほぼ１／Ｍ（Ｍは自然数）」、あるいは「発光パターンを１フィールド期間のほぼ１／Ｎ（Ｎは自然数）とする」と表現しているのは、その時間が１行走査期間より小さい端数を生じる時には、四捨五入、切り上げ、または切捨てにより整数に丸めるという意味である。「ほぼ」をつけない表現においても、厳密な値だけでなくその前後１Ｈ未満の端数を含む範囲の値を意味している。
【００３１】
本発明の第１の観点によれば、走査線の順に時間をずらしながら発光素子が発光する表示装置の駆動方法であって、周期が垂直ブランキング期間のほぼ１／Ｍ（Ｍは自然数）の発光パターンで各走査線の発光素子を駆動することを特徴とする駆動方法が提供される。
【００３２】
上記の駆動方法であって、フィールド期間が垂直ブランキング期間の整数倍である場合には、更に、前記発光パターンを１フィールド期間のほぼ１／Ｎ（Ｎは自然数）とするようにしてもよい。
【００３３】
本発明の第２の観点によれば、走査線の順に時間をずらしながら発光素子が発光する表示装置の駆動方法であって、フィールド期間が垂直ブランキング期間の整数倍でない場合には、フィールド期間を垂直ブランキング期間で除算することにより得た商を四捨五入することにより得た整数でフィールド期間を除算することにより得た周期を切り上げ又は切り捨てすることにより整数化したＡ周期の発光パターンと、フィールド期間を前記Ａ周期で除算することにより得た剰余を前記Ａ周期から差し引くことにより得た周期以上であり、かつ、前記Ａ周期未満であるＢ周期のパターンとの組み合わせで各走査線の発光素子を駆動することを特徴とする駆動方法が提供される。
【００３４】
本発明の第２の観点による駆動方法であって、Ａ周期の代わりにＡ周期の整数分の１の周期を適用し、Ｂ周期の代わりにＢ周期の整数分の１の周期を適用するようにしてもよい。
【００３５】
本発明の第１又は第２の観点による駆動方法であって、前記発光パターンのデューティ比をほぼ５０％とするようにしてもよい。
【発明の効果】
【００３６】
本発明では、デューティ駆動を行いながら、フリッカを抑えるために、周期的な点滅駆動を行う表示装置におけるものである。そして、フィールド期間と行走査期間に基づいて点滅周期を決めることにより、ΣＩ（表示領域へ流れる総電流量）の変動を抑えることができる。したがって、電源インピーダンスが存在することによる電源変動を抑えることができる。これにより、電源変動により引き起こされる輝度変化に伴う画質の低下を抑制した、良好な表示を行うことが可能となる。
【発明を実施するための最良の形態】
【００３７】
以下、本発明に係る表示装置を実施するための最良の形態について、実施例１〜実施例３において図面を参照して具体的に説明する。本形態は、ＥＬ素子を用いたアクティブマトリクス型表示装置に適用され、点滅駆動を行いながら、良好な表示が得られる駆動方法である。なお、各実施例において、ＥＬ素子を用いた有機ＥＬ表示装置を例に挙げて説明するが、本発明の表示装置はこれに限定されるものではなく、自発光素子の発光を制御しうる装置であれば、好ましく適用される。
【実施例１】
【００３８】
図１は、本実施例による表示装置の全体構成を示す。
【００３９】
図１において、画像表示部には、ＲＧＢ原色数のＥＬ素子と、このＥＬ素子に入力される電流を制御するためのＴＦＴから構成される画素回路２（図２参照）とが画素１を構成してｍ行×ｎ列の２次元状に配列されている。ここでｍ、ｎは自然数とする。表示領域の周辺には行制御回路３、および列制御回路４を備えている。行制御回路３の各出力端子からは走査信号Ｐ１（１）〜Ｐ１（ｍ）、と発光期間制御信号Ｐ２（１）〜Ｐ２（ｍ）が出力される。走査信号は走査線５を介して各行の画素回路２に入力される。発光期間制御信号は発光期間制御線６を介して各行の画素回路２に入力される。列制御回路４には映像信号が入力され、各出力端子から階調表示データVｄａｔａが出力される。階調表示データVｄａｔａはデータ線７を介して各列の画素回路に入力される。
【００４０】
図２は、本実施例のＥＬ素子を含む画素回路２の構成例を示す。
【００４１】
図２において、Ｐ１が走査信号であり、Ｐ２は発光期間制御信号である。データ信号として階調表示データVｄａｔａが入力される。ＥＬ素子の陽極（アノード）はＴＦＴ（Ｍ３）のドレイン端子に接続されており、陰極（カソード）は接地電位ＣＧＮＤに接続されている。Ｍ２、Ｍ３がＰ型ＴＦＴであり、Ｍ１がＮ型ＴＦＴである。
【００４２】
図３は、画素回路２の駆動方法を説明するタイミングチャートである。
【００４３】
図３において、V（ｉ−１）、V（ｉ）、V（ｉ＋１）は、フィールド単位におけるi−１行（１行前）、ｉ行（対象行）、ｉ＋１行（１行後）の対象列の画素回路２に入力される電圧データVｄａｔａを示す。
【００４４】
まず、時刻ｔ０より前の時点では、対象行の画素回路２には、走査信号Ｐ１にはＬｏｗレベルの信号が、発光期間制御信号Ｐ２にはＨｉｇｈレベルの信号が入力され、トランジスタＭ１がＯＦＦ、Ｍ３がＯＦＦの状態である。この状態では、対象行であるｍ行の画素回路２には、１行前の階調表示データVｄａｔａに対応するV（ｉ−１）は入力されない。
【００４５】
次いで、時刻ｔ０では、Ｐ１にはＨｉｇｈレベルの信号が、Ｐ２にはＨｉｇｈレベルの信号が入力され、トランジスタＭ１がＯＮ、Ｍ３はＯＦＦとなる。この状態で、ｍ行の画素回路２に該当行の階調表示データＶｄａｔａに対応するＶ（ｉ）が入力される。入力されたＶｄａｔａの電圧が、Ｍ２のゲート端子と電源電位ＶＣＣの間に配置された容量Ｃ１に充電される。
【００４６】
次いで、時刻ｔ１では、Ｐ１にＬｏｗレベルの信号が入力され、Ｐ２にＬｏｗレベルの信号が入力され、Ｍ１がＯＦＦ、Ｍ３がＯＮの状態となる。この状態では、Ｍ３が導通状態であるため、Ｃ１に充電された電圧により、Ｍ２の電流駆動能力に応じた電流がＥＬ素子に供給される。これにより、供給された電流に応じた輝度でＥＬ素子が発光する。
【００４７】
次いで、時刻ｔ２では、Ｐ２にＨｉｇｈレベルの信号が入力され、Ｍ３がＯＦＦとなり、ＥＬ素子への電流の供給が止まって非発光状態となる。Ｐ２がＬｏｗレベルの期間とＬｏｗレベルになる時刻を変化させることで発光期間を制御する。
【００４８】
次いで、時刻ｔ３では、Ｐ２にＬｏｗレベルの信号が入力され、Ｍ３がＯＮとなり、ＥＬ素子への電流が供給され、発光状態となる。このＰ２がＨｉｇｈレベルの期間を変化させることで非発光期間を制御する。
【００４９】
時刻ｔ０から時刻ｔ１までのＰ１がＨｉｇｈレベル信号の期間が１行の走査に係る時間でこれを１行の走査期間、または１Ｈという。また、時刻ｔ１から時刻ｔ３までで指定される、Ｐ２がＬｏｗレベルの期間とＨｉｇｈレベルの期間の連続した１組の和の期間を、点滅周期とする。
【００５０】
本実施例においては画素回路２として、図２の構成を一例に挙げたが、これに限るものではない。
【００５１】
図４は、本発明における表示装置の駆動方法を説明するタイミングチャートの例である。
【００５２】
図４において、Ｐ１（１）〜Ｐ１（ｍ）は、第１行〜第ｍ行にそれぞれ対応する走査信号Ｐ１を示している。Ｐ２（１）〜Ｐ２（ｍ）は第１行〜第ｍ行にそれぞれ対応する発光期間制御信号Ｐ２を示している。
【００５３】
行走査期間では、第１行、第２行、第３行、・・・、第ｍ行の走査信号Ｐ１（１）、Ｐ１（２）、Ｐ１（３）、・・・、Ｐ１（ｍ）を順次、１走査期間づつ、Ｈｉｇｈレベルにしている。このＨｉｇｈレベル期間で画素回路２に階調表示データVｄａｔａが入力される。
【００５４】
発光期間制御信号Ｐ２は、階調表示データVｄａｔａが入力された後、Ｌｏｗレベル期間となり発光状態となる。その後、Ｈｉｇｈレベル期間となり、非発光状態となる。１フィールド期間中、発光・非発光を繰り返す。
【００５５】
本実施例は、点滅周期が１フィールド期間の１／N（Ｎは自然数）であり、かつ、垂直ブランキング期間と等しくなるように設定されている。
【００５６】
１フィールド期間が垂直ブランキング期間の整数倍でないときは、１フィールド期間が点滅周期の整数倍でなくなる。そのときは、以下に説明するように点滅周期の異なる２つを組み合わせて１フィールド期間に合わせてもよい。
【００５７】
例えば、ΔＮ＝フィールド期間／垂直ブランキング期間  とした時、ΔＮの少数点以下を四捨五入したものをΔＮ’とする。ＴＳｘ＝フィールド期間／ΔＮ’としてＴＳｘの少数点以下を切り捨て、又は切り上げた値をＴＳｘ’（第１の点滅周期）とおくと、点滅周期は
ＴＳｘ’との周期差が、フィールド期間−ＴＳｘ’×Ｍの範囲内である点滅周期（第２の点滅周期）とＴＳｘ’との組み合わせで表現される発光パターンであればよい。ここで、Ｍは、フィールド期間−ＴＳｘ’×Ｍをゼロ以上の最小値とする整数である。
【００５８】
すなわち、フィールド期間が垂直ブランキング期間の整数倍でない場合には、次のようにすればよい。すなわち、フィールド期間を垂直ブランキング期間で除算することにより得た商を四捨五入することにより得た整数でフィールド期間を除算する。この除算により得た周期を切り上げ又は切り捨てすることにより整数化したものをＡ周期とする。フィールド期間をＡ周期で除算することにより得た剰余をＡ周期から差し引くことにより得た周期以上であり、かつ、前記Ａ周期未満である周期をＢ周期とする。そして、Ａ周期のパターンとＢ周期のパターンとの組み合わせで各走査線の発光素子を駆動すればよい。
【００５９】
また、いずれの場合でも発光パターンのデューティ比は５０％とする。
【００６０】
また、Ａ周期を複数個に分割したり、Ｂ周期を複数個に分割してもよい。
【００６１】
図５は本実施例において、発光タイミングに依存した表示領域の総電流変動、その時の輝度変化が表示装置上でどのように見えるかを表した図である。
【００６２】
１１のパターンは横方向は行走査方向位置を、縦方向は時間を表していて、白色部は発光を意味し、黒色部は非発光を意味する。ＴＳ信号は１１の左端の白黒パターンで表されている。１３部は垂直ブランキング期間である。ブランキング期間左端部を見ると、白色部と黒色部を合わせた点滅周期がブランキング期間に一致しているのがわかる。
【００６３】
ある瞬間の総電流量は、ある位置での白色部を横方向に合計した量で表されるので、その大きさは符号１２で示すようになる。１１内でのどの時間においても、白色部の合計量は等しくなっており、即ち、常に総電流量が一定になっていることを意味する。
【００６４】
電流変動がないので、電源変動も発生せず、どの位置のどの時間においても発光輝度は一定になっている。発光量を１フィールド期間積分したものが符号１４で示す直線である。これから明らかなように、行走査方向の位置における輝度の変化は無く、良好な画質が得られる。
【００６５】
仮に画像信号がＮＴＳＣ信号より生成されるものであるとする。この場合には、１フィールド期間は２６２又は２６３走査期間とすることができる。この時、表示領域が２４０行であったとすると、垂直ブランキング期間は２２又は２３走査期間である。
【００６６】
この時、点滅周期を垂直ブランキング期間とほぼ等しく、かつ、１フィールド期間のほぼ１／ Nに設定したいので、１フィールドを２６２走査期間とすると、まずＮを計算する。
【００６７】
Ｎ＝２６２／２２＝１１.９≒１２
この値を用いて点滅周期を求めると、
２６２／１２＝２１．８≒２２
２６２走査期間では、Ｎ＝１２で２６２／Ｎに近い点滅周期は２２走査期間である。この時、
２２×１２＝２６４
となりフィールド期間を超過してしまうため、
２２走査期間×１１回＋２０走査期間×１回
又は、
２２走査期間×１０回＋２１走査期間×２回
と点滅周期がほとんど変わらない範囲で調整を行っても構わない。
【００６８】
１フィールドを２６３走査期間とすると、
Ｎ＝２６３／２３＝１１.４≒１１、    ２６３／１１＝２３.９≒２４  
２６３走査期間では、Ｎ＝11で２６３／Ｎに近い点滅周期は２４走査期間である。この時、
２４×１１＝２６４
となりフィールド期間を超過してしまうため、
２４走査期間×１０回＋２２走査期間×１回
又は、
２４走査期間×９回＋２３走査期間×２回
と、このように調整を行っても構わない。
【００６９】
よって、点滅周期をだいたい２２又は２４走査期間に設定したものが、本発明の効果が得られる１つの形態である。
【００７０】
他の表示装置、例えば、1フィールド期間が２６２走査期間であり、表示領域が２００行であったとすると、
Ｎ＝２６２／６２＝４.２３≒４、  ２６２／４＝６５.５≒６６
この表示装置での２６２／Ｎに最も近い点滅周期を６６走査期間である。この時、
４×６６＝２６４
となりフィールド期間を超過してしまうため、
６６走査期間×３回＋６４走査期間×１回
又は、
６６走査期間×２回＋６５走査期間×２回
と、このように調整を行っても構わない。
【００７１】
本実施例においては、図１の構成による表示装置を例示したが、これに限らず、図４の駆動方法を実施できる構成であればよい。
【００７２】
以上のように、本実施例によれば、点滅周期がフィールド期間のほぼ１／Ｎ倍、かつ、垂直ブランキング期間とほぼ等しくなるように設けている。従って、各行でのフィールド期間最後の点滅周期終了タイミングと次のフィールド期間の点滅周期開始タイミングがほぼ連続となる。更に、通常は垂直ブランキング期間の存在により不連続となるはずの、表示領域最終行の点滅周期と表示領域最初の行の点滅周期がほぼ連続となる。従って、表示領域内の発光領域が常に等しくなり、表示領域に流れ込む電流量を安定させることができる。こうして、電源インピーダンスによる電源変動を抑えることができ、表示領域内の輝度変化を抑制して良好な表示を得ることが可能となる。
【実施例２】
【００７３】
本実施例における表示装置の全体構成は図１と同様であり、画素回路２およびその駆動方法も図２、図３と同様であるため、その説明および図を省略する。
【００７４】
図６は、本発明における表示装置の他の駆動方法の例を説明するタイミングチャートである。
【００７５】
図６において、Ｐ１（１）〜Ｐ１（ｍ）は、第１行〜第ｍ行にそれぞれ対応する走査信号Ｐ１を示している。Ｐ２（１）〜Ｐ２（ｍ）は第１行〜第ｍ行にそれぞれ対応する発光期間制御信号Ｐ２を示している。図４のタイミングチャートで説明した駆動方法と異なるのは、発光期間制御信号Ｐ２の点滅周期である。
【００７６】
本実施例における発光期間制御信号Ｐ２は、点滅周期が垂直ブランキング期間のおおよそ１／ｎ倍（ｎは自然数）に設定されている。図５のタイミングチャートではｎ＝２の場合を表している。
【００７７】
図７は点滅周期を変化させた場合のΣＩの変化率（＝（ΣＩの最大値−ΣＩ最小値）／ΣＩ平均値）を計算したグラフであり、本実施例の1例である。図７では、1フィールド期間を２６２走査期間、表示行数２４０行、デューティ比５０％で全面表示させた結果である。この時一般的な点滅周期として、１フィールド期間に1回点滅する駆動でのΣＩ変化率をΔΣＩ１とする。また、１フィールド期間にＮ回点滅する駆動でのΣＩ変化率をΔΣＩＮとする。
【００７８】
ΔΣＩＮがΔΣＩ１の半分以下になるように点滅周期を設定すれば、本発明の十分な効果が得られる。
【００７９】
図8の２１は１フィールド期間に1回点滅する駆動でのΣＩの時間変化をシミュレーションしたものである。また、２２はΔΣＩ１の半分以下になるΔΣＩＮとなる点滅周期で駆動したもののΣＩの時間変化をシミュレーションしたものである。更に、２３は点滅周期と垂直ブランキング期間がほぼ等しい時のΣＩの時間変化をシミュレーションしたものである。この図からΣＩの時間変化を完全に無くすような点滅周期ではなくても、２２のようにΣＩの時間変化を半分以下にさせる点滅周期を選択することで、本発明の効果は十分に得ることが可能である。
【００８０】
さらに、より好ましくは、図７において、ΣＩ変化率が周辺の点滅周期に比べて小さくなる点滅周期として次のようなものがある。すなわち、（1フィールド期間）／（点滅周期）の値がほぼ整数となる範囲の点滅周期であり、かつ、点滅周期が垂直ブランキング期間のおおよそ１／ｎ倍（ｎは自然数）、の範囲にある点滅周期がそのようなものである。また、このΣＩ変化率が小さくなる点滅周期は、点滅周期が垂直ブランキング期間の１／ｎ倍に一致する必要はなく、おおよその近傍であれば十分に電流の変化量を抑えることができるので、本発明の効果をより十分に得られる。
【００８１】
また、より好ましい例としては、図７に点滅周期が垂直ブランキング期間のおおよそ１／ｎ倍に一致する例として、ｎ＝１とｎ＝２となる点滅周期を図示してある。ΣＩ変化率が他の点滅周期に比べて小さくなっており、このような点滅周期を選択しても本発明の効果を得ることが可能である。
【００８２】
以上のように、本実施例によれば、点滅周期がフィールド期間の１／Ｎ倍、かつ、垂直ブランキング期間と一致しなくても、ΣＩの変化が小さくなれば、電源変動が抑制され、自発光素子の輝度変動を抑制し良好な表示を得ることが可能となる。
【００８３】
以上の実施例１と２は、点滅周期を垂直ブランキング期間の自然数分の１近くになるように設定することでΣＩの変動自体をなくすものである。
【００８４】
ΣＩの変動をなくす方法としては、この他に、電源電圧を変動させて、発光行が消灯行より多くなる期間中に電源電圧を大きくし、逆に、発光行が消灯行より少なくなる期間に合わせて電源電圧を小さくする方法もある。つまり、電源電圧を発光パターンに同期して変動させ、結果として一定のΣＩになるように制御する。
【００８５】
ΣＩの変動自体はなくさずに、それによる輝度分布を補償するような工夫を行ってもよい。ΣＩの変動によってできる輝度の低い場所は、点滅周期とブランキング期間によって決まっており、表示領域の特定の場所に固定している。その位置に、周囲よりも電流−輝度特性の高い、つまり同じ電流に対してより明るく発光する素子を配置することにより、輝度分布を補償することができる。発光素子の特性による輝度分布が、ΣＩの変動と発光パターンとが同期してできる輝度分布と打ち消しあって均一な輝度を作る。
【００８６】
また、輝度の低い場所を発光させる画像データをより明るく発光する画像データに変換しても、輝度分布を補償することができる。
【００８７】
電源電圧は、図２のように行方向に設けられたＶｃｃ配線ラインによって各画素回路に供給される。この配線のインピーダンスを行ごとに調整して、画素に供給される電源電圧に分布をつけておくと、行に平行な輝度分布を作ることができる。これもΣＩ変動による輝度分布を補償する方法の１つである。
【００８８】
このように、ΣＩの変動を電源電圧変動またはあらかじめパネルに準備された輝度分布で補償することにより、均一な表示装置にすることもできる。
【実施例３】
【００８９】
本実施例は、上述した各実施例を電子機器に用いた例である。
【００９０】
図１３は、本実施例のデジタルスチルカメラシステムの一例のブロック図である。図中、５０はデジタルスチルカメラシステム、５１は撮影部、５２は映像信号処理回路、５３は表示パネル、５４はメモリ、５５はＣＰＵ、５６は操作部を示す。
【００９１】
図１３において、撮像部５１で撮影した映像または、メモリ５４に記録された映像を、映像信号処理回路５２で信号処理し、表示パネル５３で見ることができる。ＣＰＵ５５では、操作部５６からの入力によって、撮影部５１、メモリ５４、映像信号処理回路５２などを制御して、状況に適した撮影、記録、再生、表示を行う。また、表示パネル５３は、この他にも各種電子機器の表示部として利用できる。
【産業上の利用可能性】
【００９２】
本発明は、自発光型素子をマトリクス状に配置した表示装置およびその駆動方法に利用することができる。特に点滅駆動するＥＬ（エレクトロ・ルミネッセンス）素子等の自発光型素子と、発光期間を任意に制御する電気回路とを用いて表示を行うアクティブマトリクス型表示装置、およびこれらの駆動方法に利用することができる。
【００９３】
この表示装置を用いて、例えば情報表示装置を構成できる。この情報表示装置は、例えば携帯電話、携帯コンピュータ、スチルカメラもしくはビデオカメラのいずれかの形態をとる。もしくは、それらの各機能の複数を実現する装置である。情報表示装置は、情報入力部を備えている。例えば、携帯電話の場合には情報入力部は、アンテナを含んで構成される。ＰＤＡや携帯ＰＣの場合には、情報入力部は、ネットワークに対するインターフェース部を含んで構成される。スチルカメラやムービーカメラの場合には、情報入力部はＣＣＤやＣＭＯＳなどによるセンサ部を含んで構成される。
【図面の簡単な説明】
【００９４】
【図１】本発明に係る表示装置の一例を示す図である。
【図２】本発明に係る表示装置における画素回路の一例を示す図である。
【図３】図２に示す画素回路の動作を説明するタイミングチャートである。
【図４】図１に示す表示装置の動作を説明するタイミングチャートである。
【図５】本発明に係る駆動方法の発光パターンと電源変動、輝度変化の一例を示す図である。
【図６】図１に示す表示装置の動作の他の例を説明するタイミングチャートである。
【図７】本発明に係る駆動方法が適用可能な範囲の一例を示す図である。
【図８】本発明に係る駆動方法の効果の一例を示す図である。
【図９】従来の表示装置の駆動方法と電流量変動の一例を示す図である。
【図１０】表示装置の画質に影響を与えるＴＦＴ特性を示す図である。
【図１１】表示装置の画質に影響を与えるＥＬ特性を示す図である。
【図１２】従来例の発光パターンと電源変動、輝度変化の一例を示す図である。
【図１３】本発明に係る表示装置を用いたデジタルスチルカメラシステムの全体構成を示すブロック図である。
【符号の説明】
【００９５】
１  画素
２  画素回路
３  行制御回路
４  列制御回路
５  走査線
６  発光期間制御線
７  データ線
１１  発光パターン
１２  表示領域への総電流量変化
１３  垂直ブランキング期間
１４  行走査方向位置の輝度変化
２１  点滅周期が１フィールド期間に1回点滅する駆動でのΣＩの時間変化
２２  ΔΣＩ１の半分以下になるΔΣＩＮとなる点滅周期で駆動したΣＩの時間変化
２３  点滅周期と垂直ブランキング期間がほぼ等しくなる点滅周期でのΣＩの時間変化
５０  デジタルスチルカメラシステム
５１  撮影部
５２  映像信号処理回路
５３  表示パネル
５４  メモリ
５５  ＣＰＵ
５６  操作部
１０１  発光パターン
１０２  表示領域への総電流量変化
１０３  垂直ブランキング期間
１０４  行走査方向位置の輝度変化
１０５  輝度が減少しているタイミング
１０６  輝度が増加しているタイミング
【図９】
2009063654.tif 000003
【図１】
2009063654.tif 000004
【図２】
2009063654.tif 000005
【図３】
2009063654.tif 000006
【図４】
2009063654.tif 000007
【図５】
2009063654.tif 000008
【図６】
2009063654.tif 000009
【図７】
2009063654.tif 000010
【図８】
2009063654.tif 000011
【図１０】
2009063654.tif 000012
【図１１】
2009063654.tif 000013
【図１２】
2009063654.tif 000014
【図１３】
2009063654.tif 000015